【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
複数の光電変換部からの電荷が転送される第１ノードを有する第１画素ブロックと、
前記第１画素ブロックと隣り合って配置され、複数の光電変換部からの電荷が転送される第２ノードを有する第２画素ブロックと、
前記第１ノードと前記第２ノードとを接続するための複数のスイッチを有する接続部と、
を備える撮像素子。
【請求項２】
請求項１に記載の撮像素子において、
前記接続部は、３つ以上のスイッチを有する撮像素子。
【請求項３】
請求項１又は請求項２に記載の撮像素子において、
前記接続部は、第１スイッチと第２スイッチとを少なくとも有し、
前記１スイッチは、前記第１ノードまでの距離が、前記第１スイッチから前記第２スイッチまでの距離よりも短い位置に配置される撮像素子。
【請求項４】
請求項３に記載の撮像素子において、
前記第１スイッチを制御するための制御信号が出力される第１制御線と、
前記第２スイッチを制御するための制御信号が出力される前記第１制御線とは異なる第２制御線と、
を備える撮像素子。
【請求項５】
請求項４に記載の撮像素子において、
前記第１スイッチは、前記第１制御線に接続されるゲートを有するトランジスタを含み、
前記第２スイッチは、前記第２制御線に接続されるゲートを有するトランジスタを含む撮像素子。
【請求項６】
請求項３から請求項５のいずれか一項に記載の撮像素子において、
前記接続部は、前記第１スイッチと前記第２スイッチとを接続する配線を有する撮像素子。
【請求項７】
請求項１から請求項６のいずれか一項に記載の撮像素子において、
前記第１画素ブロックは、光を電荷に変換する第１光電変換部と、光を電荷に変換する第２光電変換部と、前記第１光電変換部の電荷を前記第１ノードに転送するための第１転送部と、前記第２光電変換部の電荷を前記第１ノードに転送するための第２転送部と、を少なくとも有し、
前記第２画素ブロックは、光を電荷に変換する第３光電変換部と、光を電荷に変換する第４光電変換部と、前記第３光電変換部の電荷を前記第２ノードに転送するための第３転送部と、前記第４光電変換部の電荷を前記第２ノードに転送するための第４転送部と、を少なくとも有する撮像素子。
【請求項８】
請求項７に記載の撮像素子において、
前記第１転送部に接続され、前記第１転送部を制御するための制御信号が出力される第１転送制御線と、
前記第２転送部に接続され、前記第２転送部を制御するための制御信号が出力される第２転送制御線と、
前記第３転送部に接続され、前記第１転送部を制御するための制御信号が出力される第３転送制御線と、
前記第４転送部に接続され、前記第４転送部を制御するための制御信号が出力される第４転送制御線と、
を備える撮像素子。
【請求項９】
請求項８に記載の撮像素子において、
前記第１転送部は、前記第１転送制御線に接続される第１転送ゲートを有するトランジスタを含み、
前記第２転送部は、前記第２転送制御線に接続される第２転送ゲートを有するトランジスタを含み、
前記第３転送部は、前記第３転送制御線に接続される第３転送ゲートを有するトランジスタを含み、
前記第４転送部は、前記第４転送制御線に接続される第４転送ゲートを有するトランジスタを含み、
前記第１転送ゲート及び前記第２転送ゲートは、互いに向かい合って配置され、
前記第３転送ゲート及び前記第４転送ゲートは、互いに向かい合って配置される撮像素子。
【請求項１０】
請求項８に記載の撮像素子において、
前記第１転送部は、前記第１転送制御線に接続される第１転送ゲートを有するトランジスタを含み、
前記第２転送部は、前記第２転送制御線に接続される第２転送ゲートを有するトランジスタを含み、
前記第３転送部は、前記第３転送制御線に接続される第３転送ゲートを有するトランジスタを含み、
前記第４転送部は、前記第４転送制御線に接続される第４転送ゲートを有するトランジスタを含み、
前記第１転送ゲートの中央位置から前記第２転送ゲートの中央位置までの距離は、前記第１光電変換部の中央位置から前記第２光電変換部の中央位置までの距離よりも短く、
前記第３転送ゲートの中央位置から前記第４転送ゲートの中央位置までの距離は、前記第３光電変換部の中央位置から前記第４光電変換部の中央位置までの距離よりも短い撮像素子。
【請求項１１】
光を電荷に変換する第１光電変換部と、
光を電荷に変換する第２光電変換部と、
光を電荷に変換する第３光電変換部と、
光を電荷に変換する第４光電変換部と、
前記第１光電変換部からの電荷と前記第２光電変換部からの電荷とが転送される第１ノードと、
前記第３光電変換部からの電荷と前記第４光電変換部からの電荷とが転送される第２ノードと、
前記第１ノードと前記第２ノードとを接続するための複数のスイッチを有する接続部と、
を備える撮像素子。
【請求項１２】
請求項１１に記載の撮像素子において、
前記接続部は、３つ以上のスイッチを有する撮像素子。
【請求項１３】
請求項１１又は請求項１２に記載の撮像素子において、
前記接続部は、第１スイッチと第２スイッチとを少なくとも有し、
前記１スイッチは、前記第１ノードまでの距離が、前記第１スイッチから前記第２スイッチまでの距離よりも短い位置に配置される撮像素子。
【請求項１４】
請求項１３に記載の撮像素子において、
前記第１スイッチを制御するための制御信号が出力される第１制御線と、
前記第２スイッチを制御するための制御信号が出力される前記第１制御線とは異なる第２制御線と、
を備える撮像素子。
【請求項１５】
請求項１４に記載の撮像素子において、
前記第１スイッチは、前記第１制御線に接続されるゲートを有するトランジスタを含み、
前記第２スイッチは、前記第２制御線に接続されるゲートを有するトランジスタを含む撮像素子。
【請求項１６】
請求項１３から請求項１５のいずれか一項に記載の撮像素子において、
前記接続部は、前記第１スイッチと前記第２スイッチとを接続する配線を有する撮像素子。
【請求項１７】
請求項１１から請求項１６のいずれか一項に記載の撮像素子において、
前記第１光電変換部の電荷を前記第１ノードに転送するための第１転送部と、
前記第２光電変換部の電荷を前記第１ノードに転送するための第２転送部と、
前記第３光電変換部の電荷を前記第２ノードに転送するための第３転送部と、
前記第４光電変換部の電荷を前記第２ノードに転送するための第４転送部と、
を備える撮像素子。
【請求項１８】
請求項１７に記載の撮像素子において、
前記第１転送部に接続され、前記第１転送部を制御するための制御信号が出力される第１転送制御線と、
前記第２転送部に接続され、前記第２転送部を制御するための制御信号が出力される第２転送制御線と、
前記第３転送部に接続され、前記第１転送部を制御するための制御信号が出力される第３転送制御線と、
前記第４転送部に接続され、前記第４転送部を制御するための制御信号が出力される第４転送制御線と、
を備える撮像素子。
【請求項１９】
請求項１８に記載の撮像素子において、
前記第１転送部は、前記第１転送制御線に接続される第１転送ゲートを有するトランジスタを含み、
前記第２転送部は、前記第２転送制御線に接続される第２転送ゲートを有するトランジスタを含み、
前記第３転送部は、前記第３転送制御線に接続される第３転送ゲートを有するトランジスタを含み、
前記第４転送部は、前記第４転送制御線に接続される第４転送ゲートを有するトランジスタを含み、
前記第１転送ゲート及び前記第２転送ゲートは、互いに向かい合って配置され、
前記第３転送ゲート及び前記第４転送ゲートは、互いに向かい合って配置される撮像素子。
【請求項２０】
請求項１８に記載の撮像素子において、
前記第１転送部は、前記第１転送制御線に接続される第１転送ゲートを有するトランジスタを含み、
前記第２転送部は、前記第２転送制御線に接続される第２転送ゲートを有するトランジスタを含み、
前記第３転送部は、前記第３転送制御線に接続される第３転送ゲートを有するトランジスタを含み、
前記第４転送部は、前記第４転送制御線に接続される第４転送ゲートを有するトランジスタを含み、
前記第１転送ゲートの中央位置から前記第２転送ゲートの中央位置までの距離は、前記第１光電変換部の中央位置から前記第２光電変換部の中央位置までの距離よりも短く、
前記第３転送ゲートの中央位置から前記第４転送ゲートの中央位置までの距離は、前記第３光電変換部の中央位置から前記第４光電変換部の中央位置までの距離よりも短い撮像素子。
【請求項２１】
請求項１から請求項２０のいずれか一項に記載の撮像素子を備える撮像装置。
【手続補正２】
【補正対象書類名】明細書
【補正対象項目名】発明の名称
【補正方法】変更
【補正の内容】
【発明の名称】撮像素子及び撮像装置
【手続補正３】
【補正対象書類名】明細書
【補正対象項目名】００３５
【補正方法】変更
【補正の内容】
【００３５】
第２７の態様による撮像装置は、前記第２、第３、第５、第６、第９、第１１、第１８及び第２０のいずれかの態様による固体撮像素子と、ＩＳＯ感度の設定値に応じて前記第１の動作モードと前記第２の動作モードとを切り替える制御手段と、を備えたものである。
前記課題を解決するための手段として、以下の各態様も提示する。第１の面による撮像素子は、複数の光電変換部からの電荷が転送される第１ノードを有する第１画素ブロックと、前記第１画素ブロックと隣り合って配置され、複数の光電変換部からの電荷が転送される第２ノードを有する第２画素ブロックと、前記第１ノードと前記第２ノードとを接続するための複数のスイッチを有する接続部と、を備えるものである。
第２の面による撮像素子は、前記第１の面による撮像素子において、前記接続部は、３つ以上のスイッチを有するものである。
第３の面による撮像素子は、前記第１又は第２の面による撮像素子において、前記接続部は、第１スイッチと第２スイッチとを少なくとも有し、前記１スイッチは、前記第１ノードまでの距離が、前記第１スイッチから前記第２スイッチまでの距離よりも短い位置に配置されるものである。
第４の面による撮像素子は、前記第３の面による撮像素子において、前記第１スイッチを制御するための制御信号が出力される第１制御線と、前記第２スイッチを制御するための制御信号が出力される前記第１制御線とは異なる第２制御線と、を備えるものである。
第５の面による撮像素子は、前記第４の面による撮像素子において、前記第１スイッチは、前記第１制御線に接続されるゲートを有するトランジスタを含み、前記第２スイッチは、前記第２制御線に接続されるゲートを有するトランジスタを含むものである。
第６の面による撮像素子は、前記第３の面から第５の面のいずれかの一つの面による撮像素子において、前記接続部は、前記第１スイッチと前記第２スイッチとを接続する配線を有するものである。
第７の面による撮像素子は、前記第１の面から第６の面のいずれかの一つの面による撮像素子において、前記第１画素ブロックは、光を電荷に変換する第１光電変換部と、光を電荷に変換する第２光電変換部と、前記第１光電変換部の電荷を前記第１ノードに転送するための第１転送部と、前記第２光電変換部の電荷を前記第１ノードに転送するための第２転送部と、を少なくとも有し、前記第２画素ブロックは、光を電荷に変換する第３光電変換部と、光を電荷に変換する第４光電変換部と、前記第３光電変換部の電荷を前記第２ノードに転送するための第３転送部と、前記第４光電変換部の電荷を前記第２ノードに転送するための第４転送部と、を少なくとも有するものである。
第８の面による撮像素子は、前記第７の面による撮像素子において、前記第１転送部に接続され、前記第１転送部を制御するための制御信号が出力される第１転送制御線と、前記第２転送部に接続され、前記第２転送部を制御するための制御信号が出力される第２転送制御線と、前記第３転送部に接続され、前記第１転送部を制御するための制御信号が出力される第３転送制御線と、前記第４転送部に接続され、前記第４転送部を制御するための制御信号が出力される第４転送制御線と、を備えるものである。
第９の面による撮像素子は、前記第８の面による撮像素子において、前記第１転送部は、前記第１転送制御線に接続される第１転送ゲートを有するトランジスタを含み、前記第２転送部は、前記第２転送制御線に接続される第２転送ゲートを有するトランジスタを含み、前記第３転送部は、前記第３転送制御線に接続される第３転送ゲートを有するトランジスタを含み、前記第４転送部は、前記第４転送制御線に接続される第４転送ゲートを有するトランジスタを含み、前記第１転送ゲート及び前記第２転送ゲートは、互いに向かい合って配置され、前記第３転送ゲート及び前記第４転送ゲートは、互いに向かい合って配置されるものである。
第１０の面による撮像素子は、前記第８の面による撮像素子において、前記第１転送部は、前記第１転送制御線に接続される第１転送ゲートを有するトランジスタを含み、前記第２転送部は、前記第２転送制御線に接続される第２転送ゲートを有するトランジスタを含み、前記第３転送部は、前記第３転送制御線に接続される第３転送ゲートを有するトランジスタを含み、前記第４転送部は、前記第４転送制御線に接続される第４転送ゲートを有するトランジスタを含み、前記第１転送ゲートの中央位置から前記第２転送ゲートの中央位置までの距離は、前記第１光電変換部の中央位置から前記第２光電変換部の中央位置までの距離よりも短く、前記第３転送ゲートの中央位置から前記第４転送ゲートの中央位置までの距離は、前記第３光電変換部の中央位置から前記第４光電変換部の中央位置までの距離よりも短いものである。
第１１の面による撮像素子は、光を電荷に変換する第１光電変換部と、光を電荷に変換する第２光電変換部と、光を電荷に変換する第３光電変換部と、光を電荷に変換する第４光電変換部と、前記第１光電変換部からの電荷と前記第２光電変換部からの電荷とが転送される第１ノードと、前記第３光電変換部からの電荷と前記第４光電変換部からの電荷とが転送される第２ノードと、前記第１ノードと前記第２ノードとを接続するための複数のスイッチを有する接続部と、を備えるものである。
第１２の面による撮像素子は、前記第１１の面による撮像素子において、前記接続部は、３つ以上のスイッチを有するものである。
第１３の面による撮像素子は、前記第１１又は第１２の面による撮像素子において、前記接続部は、第１スイッチと第２スイッチとを少なくとも有し、前記１スイッチは、前記第１ノードまでの距離が、前記第１スイッチから前記第２スイッチまでの距離よりも短い位置に配置されるものである。
第１４の面による撮像素子は、前記第１３の面による撮像素子において、前記第１スイッチを制御するための制御信号が出力される第１制御線と、前記第２スイッチを制御するための制御信号が出力される前記第１制御線とは異なる第２制御線と、を備えるものである。
第１５の面による撮像素子は、前記第１４の面による撮像素子において、請求項１４に記載の撮像素子において、前記第１スイッチは、前記第１制御線に接続されるゲートを有するトランジスタを含み、前記第２スイッチは、前記第２制御線に接続されるゲートを有するトランジスタを含むものである。
第１６の面による撮像素子は、前記第１３の面から第１５の面のいずれかの一つの面による撮像素子において、前記接続部は、前記第１スイッチと前記第２スイッチとを接続する配線を有するものである。
第１７の面による撮像素子は、前記第１１の面から第１６の面のいずれかの一つの面による撮像素子において、前記第１光電変換部の電荷を前記第１ノードに転送するための第１転送部と、前記第２光電変換部の電荷を前記第１ノードに転送するための第２転送部と、前記第３光電変換部の電荷を前記第２ノードに転送するための第３転送部と、前記第４光電変換部の電荷を前記第２ノードに転送するための第４転送部と、を備えるものである。
第１８の面による撮像素子は、前記第１７の面による撮像素子において、前記第１転送部に接続され、前記第１転送部を制御するための制御信号が出力される第１転送制御線と、前記第２転送部に接続され、前記第２転送部を制御するための制御信号が出力される第２転送制御線と、前記第３転送部に接続され、前記第１転送部を制御するための制御信号が出力される第３転送制御線と、前記第４転送部に接続され、前記第４転送部を制御するための制御信号が出力される第４転送制御線と、を備えるものである。
第１９の面による撮像素子は、前記第１８の面による撮像素子において、前記第１転送部は、前記第１転送制御線に接続される第１転送ゲートを有するトランジスタを含み、前記第２転送部は、前記第２転送制御線に接続される第２転送ゲートを有するトランジスタを含み、前記第３転送部は、前記第３転送制御線に接続される第３転送ゲートを有するトランジスタを含み、前記第４転送部は、前記第４転送制御線に接続される第４転送ゲートを有するトランジスタを含み、前記第１転送ゲート及び前記第２転送ゲートは、互いに向かい合って配置され、前記第３転送ゲート及び前記第４転送ゲートは、互いに向かい合って配置されるものである。
第２０の面による撮像素子は、前記第１８の面による撮像素子において、前記第１転送部は、前記第１転送制御線に接続される第１転送ゲートを有するトランジスタを含み、前記第２転送部は、前記第２転送制御線に接続される第２転送ゲートを有するトランジスタを含み、前記第３転送部は、前記第３転送制御線に接続される第３転送ゲートを有するトランジスタを含み、前記第４転送部は、前記第４転送制御線に接続される第４転送ゲートを有するトランジスタを含み、前記第１転送ゲートの中央位置から前記第２転送ゲートの中央位置までの距離は、前記第１光電変換部の中央位置から前記第２光電変換部の中央位置までの距離よりも短く、前記第３転送ゲートの中央位置から前記第４転送ゲートの中央位置までの距離は、前記第３光電変換部の中央位置から前記第４光電変換部の中央位置までの距離よりも短いものである。
第２１の面による撮像装置は、前記第１の面から第２０の面のいずれかの一つの面による撮像素子を備えるものである。